(57)【要約】【課題】  ２つの筐体を開閉可能に連結した携帯電子機器の組み立て作業性を向上できるようにする。【解決手段】  ２つの筐体２，３と、これら２つの筐体２，３を開閉可能に連結する連結部５とを有し、該連結部５には、前記各筐体２，３の内部空間を相互に連通させる貫通孔２１が形成され、該貫通孔２１内には、前記各筐体２，３内に設けられた回路基板１３，１９とそれぞれ電気的に接続する複数の線材２７，２９を案内する挿通孔３７，３９を有するガイド部材３１が設けられている携帯電子機器を提供する。【選択図】      図３
2006148554.tif 000002
【特許請求の範囲】
【請求項１】
２つの筐体と、これら２つの筐体を開閉可能に連結する連結部とを有し、
該連結部には、前記各筐体の内部空間を相互に連通させる貫通孔が形成され、
該貫通孔内には、前記各筐体内に設けられた回路基板とそれぞれ電気的に接続する複数の線材を案内する挿通孔を有するガイド部材を設けたことを特徴とする携帯電子機器。
【請求項２】
前記ガイド部材は、一方の筐体の内部に固定されるフランジ部を有すると共に、前記フランジ部には、前記複数の線材を前記一方の筐体内部の前記回路基板に向けて案内する案内溝が形成されていることを特徴とする請求項１に記載の携帯電子機器。
【請求項３】
前記ガイド部材は、前記挿通孔の長手方向に沿う平面を中心に分割可能であることを特徴とする請求項２に記載の携帯電子機器。
【請求項４】
前記筐体のうち、一の筐体には、無線通信用のアンテナが設けられ、他の筐体には、前記アンテナを介して通信を行う無線部が設けられ、
前記複数の線材の一部が、前記アンテナと前記無線部とを電気的に接続するためのアンテナ用線材として使用され、
前記ガイド部材には、前記挿通孔が少なくとも２つ形成され、
一の挿通孔には、前記アンテナ用線材が挿通され、
他の挿通孔には、前記アンテナ用線材を除く前記複数の線材が挿通されていることを特徴とする請求項１から請求項３のいずれか１項に記載の携帯電子機器。
【請求項５】
厚さ方向に重ねあわせ可能に配置される２つの筐体と、
厚さ方向に延びる基準軸線を中心に前記２つの筐体を相互に回動可能に連結する連結部とを有し、
該連結部には、前記各筐体の内部空間を相互に連通させる貫通孔を有すると共に、
該貫通孔内には、前記各筐体内に設けられた回路基板とそれぞれ電気的に接続する複数の線材を案内するガイド部材を設けたことを特徴とする携帯電子機器。
【請求項６】
前記ガイド部材は、前記連結部の貫通孔内に挿入される筒状部と、該筒状部の一端側に設けられ、一方の筐体内部に固定されるフランジ部とを有し、
前記筒状部には、その長手方向に前記複数の線材を挿通させる挿通孔を備える共に、前記フランジ部には、前記複数の線材を前記一方の筐体内部の前記回路基板に向けて案内する案内溝を備え、
前記筒状部の他端側には、前記他方の筐体内部に固定されるガイド補助部材を有し、
該ガイド補助部材には、前記複数の線材を前記他方の筐体内部の前記回路基板に向けて案内する案内溝を備えることを特徴とする請求項５に記載の携帯電子機器。
【発明の詳細な説明】
【技術分野】
【０００１】
この発明は、２つの筐体を相互に開閉可能に連結してなる携帯電話機、ＰＤＡ（Personal Digital Assistants）、デジタルカメラ、デジタルビデオカメラ、ノート型パーソナルコンピュータ等の携帯電子機器に関し、特に無線通信機能を有する携帯電子機器に好適なものである。
【背景技術】
【０００２】
従来、携行可能な携帯電子機器としては、重ね合わせ可能な２つの筐体と、２つの筐体を相互に開閉可能に連結する連結部とを備えたものがある（例えば、特許文献１参照。）。この種の携帯電子機器は、前述の連結部によって、筐体の表面に沿う軸線を中心として、あるいは、筐体の表面に直交する軸線を中心として２つの筐体を相互に回動可能に構成されている。また、この種の携帯電子機器としては、前述した２種類の軸線を中心として２つの筐体を相互に回動可能に構成したものもある。
上述した機能を有する連結部には、同軸ケーブル等の線材を挿通させるための貫通孔が形成されている。ここで、線材とは、２つの筐体内部にそれぞれ設けられた回路基板を電気的に接続するためのものである。
ところで、近年、携帯電子機器には様々な機能を搭載するようになっているため、この機能の増加に伴って前述した線材の数は増える傾向にある。例えば、近年の携帯電話機では、４０〜５０本程度の線材が設けられている。
【特許文献１】特開２００４−８４９２９号公報
【発明の開示】
【発明が解決しようとする課題】
【０００３】
しかしながら、上記従来の携帯電子機器では、小型化や薄型化も求められているため、多数の線材を小さな貫通孔に挿通させる必要があり、この線材の挿通作業が面倒であるという問題があった。特に、線材の挿通作業は、製造装置等により自動的に行うことが難しく、作業者によって行われることが多いため、携帯電子機器の組み立て作業性が悪いという問題があった。
この発明は、上述した事情に鑑みてなされたものであって、多数の線材を容易に連結部の貫通孔に挿通させることで、組み立て作業性を向上できる携帯電子機器を提供することを目的としている。
【課題を解決するための手段】
【０００４】
上記課題を解決するために、この発明は以下の手段を提案している。
本発明に係る携帯電子機器は、２つの筐体と、これら２つの筐体を開閉可能に連結する連結部とを有し、該連結部には、前記各筐体の内部空間を相互に連通させる貫通孔が形成され、該貫通孔内には、前記各筐体内に設けられた回路基板とそれぞれ電気的に接続する複数の線材を案内する挿通孔を有するガイド部材を設けたことを特徴とする。
【０００５】
また、本発明に係る携帯電子機器は、前記ガイド部材は、一方の筐体の内部に固定されるフランジ部を有すると共に、前記フランジ部には、前記複数の線材を前記一方の筐体内部の前記回路基板に向けて案内する案内溝が形成されていることを特徴とする。
さらに、本発明に係る携帯電子機器は、前記ガイド部材は、前記挿通孔の長手方向に沿う平面を中心に分割可能であることを特徴とする。
【０００６】
さらに、本発明に係る携帯電子機器は、前記筐体のうち、一の筐体には、無線通信用のアンテナが設けられ、他の筐体には、前記アンテナを介して通信を行う無線部が設けられ、前記複数の線材の一部が、前記アンテナと前記無線部とを電気的に接続するためのアンテナ用線材として使用され、前記ガイド部材には、前記挿通孔が少なくとも２つ形成され、一の挿通孔には、前記アンテナ用線材が挿通され、他の挿通孔には、前記アンテナ用線材を除く前記複数の線材が挿通されていることを特徴とする。
【０００７】
また、本発明に係る携帯電子機器は、厚さ方向に重ねあわせ可能に配置される２つの筐体と、厚さ方向に延びる基準軸線を中心に前記２つの筐体を相互に回動可能に連結する連結部とを有し、該連結部には、前記各筐体の内部空間を相互に連通させる貫通孔を有すると共に、該貫通孔内には、前記各筐体内に設けられた回路基板とそれぞれ電気的に接続する複数の線材を案内するガイド部材を設けたことを特徴とする。
【０００８】
さらに、本発明に係る携帯電子機器は、前記ガイド部材は、前記連結部の貫通孔内に挿入される筒状部と、該筒状部の一端側に設けられ、一方の筐体内部に固定されるフランジ部とを有し、前記筒状部には、その長手方向に前記複数の線材を挿通させる挿通孔を備える共に、前記フランジ部には、前記複数の線材を前記一方の筐体内部の前記回路基板に向けて案内する案内溝を備え、前記筒状部の他端側には、前記他方の筐体内部に固定されるガイド補助部材を有し、該ガイド補助部材には、前記複数の線材を前記他方の筐体内部の前記回路基板に向けて案内する案内溝を備えることを特徴とする。
【発明の効果】
【０００９】
この発明によれば、連結部の貫通孔内に線材を案内するガイド部材を設けることにより、線材を容易に貫通孔内に挿通させることができるため、携帯電子機器の組み立て作業性を向上させることができる。
また、ガイド部材に備えるフランジ部やガイド補助部材に案内溝を形成しておくことにより、２つの筐体の開閉動作にかかわらず、各筐体に対する線材との位置決めを行うことができると共に、各筐体の内部において線材が各筐体に対して動くことを抑制できるため、各筐体の内部において線材の捩れが発生することを抑制して、この捩れに基づく線材の損傷を防止できる。
さらに、アンテナ用線材とこれを除く他の線材とを別個の挿通孔に挿通させることにより、これらアンテナ用線材及び他の線材のいずれか一方から出るノイズが、アンテナ用線材及び他の線材のいずれか他方に悪影響を与えることを抑制できる。
【発明を実施するための最良の形態】
【００１０】
図１から図８は本発明に係る一実施形態を示しており、ここで説明する実施の形態は、この発明を携帯電話機に適用した場合のものである。
この実施の形態に係る携帯電話機（携帯電子機器）１は、図１，２に示すように、第１の筐体２と、この第１の筐体２の厚さ方向に重ね合わせ可能な第２の筐体３と、これら２つの筐体２，３を、その厚さ方向に延びる基準軸線Ｌ１を中心にＡＢ方向へ回動可能に連結する連結部５とを備えている。なお、連結部５は、２つの筐体２，３の各端部２ｂ，３ｂ（以下、基端部２ｂ，３ｂと呼ぶ。）同士を連結するようになっている。
【００１１】
基準軸線Ｌ１方向に面する第１の筐体２の表面２ａには、通話キー、終話キー等の各種押圧可能な操作キーからなる操作部７が設けられている。また、表面２ａのうち、基端部２ｂの反対側に位置する第１の筐体２の先端部２ｃには、マイクロフォン部９が設けられている。操作部７およびマイクロフォン部９は、第１、第２の筐体２，３を互いに重ね合わせて閉じた状態において、第２の筐体３により覆い隠されるようになっている。
また、この第１の筐体２の内部には、バッテリー１１や第１の回路基板１３が配されている。バッテリー１１、操作部７及びマイクロフォン部９は、第１の回路基板１３を介して電気的に接続されている。また、第１の回路基板１３には、無線部（不図示）や通話機能やメール機能等の各種機能を制御するための各種電子部品（不図示）が搭載されている。
【００１２】
第１の筐体２の表面２ａと略同方向に向く第２の筐体３の表面３ａには、各種の情報を表示する液晶ディスプレイや有機ＥＬディスプレイ等の表示部１５が設けられている。また、この表面３ａのうち、基端部３ｂの反対側に位置する第２の筐体３の先端部（他端部）３ｃには、前述のマイクロフォン部９と共に通話に使用するスピーカー部１７と無線通信用のアンテナ１０とが設けられている。表示部１５及びスピーカー部１７は、２つの筐体２，３を開いた状態から基準軸線Ｌ１を中心に相互に１８０°回動して、重ね合わせて閉じても外方に露出している。
【００１３】
これら表示部１５、スピーカー部１７及びアンテナ１０は、第２の筐体３の内部に配された第２の回路基板１９に電気的に接続されている。なお、第２の回路基板１９には、表示部１５を制御するための電子部品等（不図示）が搭載されている。
なお、２つの筐体２，３を互いに閉じた状態においては、第１の筐体２の表面２ａと第２の筐体３の裏面３ｄとの間に微小隙間が形成されている。これは、基準軸線Ｌ１を中心に２つの筐体２，３を相互に開閉する際に、第２の筐体３が表面２ａを擦って操作部７が傷つくことを防止するためである。
【００１４】
２つの筐体２，３を連結する連結部５は、基準軸線Ｌ１方向に貫通して、２つの筐体２，３の内部空間を相互に連通する貫通孔２１を有している。この貫通孔２１には、複数の線材の束２７，２９が挿通されている。各筐体２，３の内部に設けられた２つの回路基板１３，１９は、この貫通孔２１を介して複数の線材の束２７，２９により相互に電気的に接続されている。
各線材の束２７，２９は、複数の金属製の芯線に絶縁シートを被覆したものであり、一方の線材の束２７は、アンテナ１０と無線部とを電気的に接続するアンテナ用線材やグランド線である。また、他方の線材の束２９は、２つの回路基板１３，１９間において電気信号による情報伝達を行うと共に、２つの回路基板１３，１９を介してバッテリー１１の電力を第２の筐体３に搭載された表示部１５、スピーカー部１７、各種電子部品等に供給可能とするものである。
【００１５】
この連結部５は、図３に示すように、第１の筐体２の表面２ａ及び第２の筐体３の裏面３ｄにそれぞれ形成された貫通孔２ｅ，３ｅから各筐体２，３の内部空間に挿入されるように構成されており、略円柱状に形成され、基準軸線Ｌ１方向に並べて配された２つの回転部２３，２５を備えている。
一方の回転部２３は、第１の筐体２の内部に固定されるようになっている。また、他方の回転部２５は、第２の筐体３の内部に固定される板状部材２４を介して第２の筐体３に固定されるようになっている。なお、板状部材２４には、連結部５の貫通孔２１と共に２つの筐体２，３の内部空間を連通させる孔２４ａが形成されている。
これら２つの回転部２３，２５は、互いに基準軸線Ｌ１回りに回転可能に連結されている。
【００１６】
この連結部５の貫通孔２１内には、複数の線材の束２７，２９を挿通させるためのガイド部材３１が設けられるようになっている。ガイド部材３１は、ポリアセタール系樹脂等の樹脂材料から成形されており、基準軸線Ｌ１方向に延びる略円柱状に形成された筒状部３３と、筒状部３３の長手方向の一端に設けられた略板状のフランジ部３５とを備えている。
筒状部３３は、連結部５の貫通孔２１に挿入されるように形成されており、その外径寸法は貫通孔２１の内径寸法と略同等に形成されている、すなわち、筒状部３３の外周面は貫通孔２１の内周面に接触するように形成されており、筒状部３３は、貫通孔２１に挿入された状態において、連結部５に対して基準軸線Ｌ１を中心に回転可能となる。
この筒状部３３には、基準軸線Ｌ１方向に貫通する挿通孔３７，３９が２つ形成されており、各挿通孔３７，３９は、前述した線材の束２７，２９をそれぞれ挿通させるように構成されている。
【００１７】
フランジ部３５は、筒状部３３の周方向にわたって半径方向外方側に広がって形成されており、第１の筐体２の内部に固定されるように構成されている。
フランジ部３５の表面３５ａには、この表面３５ａに位置する各挿通孔３７，３９の開口部からフランジ部３５の側面３５ｂまで到達する２つ案内溝４１，４３が形成されており、各案内溝４１，４３には、線材の束２７，２９がそれぞれ挿入されるようになっている。すなわち、各案内溝４１，４３は、線材の束２７，２９を挿通孔３７，３９の開口端から基準軸線Ｌ１に直交するフランジ部３５の表面３５ａに沿って、第１の回路基板１３に向けて案内するように構成されている。
このガイド部材３１を第１の筐体２に固定した状態においては、挿通孔３７，３９が、相互に基準軸線Ｌ１を挟み込む位置に配されると共に、第１の筐体２の基端部２ｂから先端部２ｃに向けて並べて配されるようになっている。
【００１８】
また、このガイド部材３１は、図４に示すように、基準軸線Ｌ１を含む平面を中心として分割可能に構成されている、すなわち、筒状部３３の長手方向に沿って分割可能となっており、各挿通孔３７，３９を一対の凹部４５〜４８に分割できるように構成されている。これら凹部４５〜４８は、分割されるガイド部材３１の接合面３３ｂから窪んで形成されており、筒状部３３の長手方向に延びて２つずつ形成されている。
なお、筒状部３３の長手方向の先端に位置する挿通孔３７，３９の開口端には、挿通孔３７，３９の内径寸法が漸次広がる拡径内周面５１が各々形成されており、この拡径内周面５１は、挿通孔３７，３９の内周面と筒状部３３の端面３３ａとを滑らかにつなぐように、略円弧状に形成されている。
【００１９】
また、図３に示すように、第２の筐体３の内部には、板状のガイド補助部材５３が固定して設けられており、このガイド補助部材５３には、筒状部３３の先端から突出する線材の束２７，２９を基準軸線Ｌ１の長手方向に挿通させる孔５３ａが形成されている。また、このガイド補助部材５３の表面５３ｂには４つのリブが立設されており、このうち２つのリブの間を線材の束２７，２９がそれぞれ挿入される案内溝５５，５７としてある。すなわち、各案内溝５５，５７は、線材の束２７，２９を挿通孔３７，３９から基準軸線Ｌ１に直交するガイド補助部材５３の表面に沿って、第２の回路基板１９に向けて案内するように構成されている。
【００２０】
以上のように構成された携帯電話機１において、線材の束２７，２９の挿通作業について以下に説明する。
線材の束２７，２９を２つの筐体２，３の内部にわたって挿通させる際には、はじめに、ガイド部材３１に線材の束２７，２９を取り付ける。すなわち、図４に示すように、２つに分割されたガイド部材３１の間に２つの線材の束２７，２９を配する。そして、各線材の束２７，２９がそれぞれ凹部４５〜４８に入り込むように、分割されたガイド部材３１により線材の束２７，２９を挟み込む。これにより、２つの線材の束２７，２９が筒状部３３の各挿通孔３７，３９に挿通された状態となる。
そして、図５に示すように、挿通孔３７，３９からフランジ部３５側に突出する線材の束２７，２９を折り曲げてフランジ部３５の案内溝４１，４３に挿入する。これにより、第１の筐体２の内部に配される線材の束２７，２９が基準軸線Ｌ１と直交するフランジ部３５の表面３５ａに沿って、かつ、第１の回路基板１３に向けて配されることになる。そして、この作業終了後に、線材の束２７，２９と第１の回路基板１３との電気接続を行う。
【００２１】
上述のように、線材の束２７，２９のガイド部材３１への取り付けが終了した後には、図３に示すように、一方の回転部２３側から連結部５の貫通孔２１にガイド部材３１の筒状部３３を挿通させ、一方の回転部２３をガイド部材３１のフランジ部３５の表面３５ｃに当接させる。これにより、連結部５の貫通孔２１に２つの線材の束２７，２９が挿通されることになる。
なお、筒状部３３を貫通孔２１に挿通した状態においては、連結部５がフランジ部３５の表面３５ｃに当接するため、基準軸線Ｌ１方向に関する連結部５とガイド部材３１との相対的な位置決めを容易に行うことができる。
【００２２】
次に、他方の回転部２５側から第２の筐体３の内部に突出する線材の束２７，２９を、板状部材２４及びガイド補助部材５３の孔２４ａ，５３ａに挿通し、ガイド補助部材５３の案内溝５５，５７に挿入する。これにより、第２の筐体３の内部に配される線材の束２７，２９が基準軸線Ｌ１と直交するガイド補助部材５３の表面５３ｂに沿って、かつ、第２の回路基板１９に向けて配されることになる。この作業終了後に、線材の束２７，２９と第２の回路基板１９との電気接続を行う。
以上により、線材の束２７，２９が２つの筐体２，３の内部にわたって挿通されることになる。なお、この挿通作業は、連結部５、板状部材２４及びガイド補助部材５３を予め各筐体２，３の内部にそれぞれ固定した状態で行ってもよいし、連結部５、板状部材２４及びガイド補助部材５３を各筐体２，３の内部にそれぞれ固定する作業と並行して行っても構わない。
【００２３】
なお、上述したように、線材の束２７，２９をガイド補助部材５３に取り付ける際には、図６に示すように、２つの筐体２，３を相互に閉じた状態において、基準軸線Ｌ１に対して第２の筐体３の基端部３ｂ側に位置する一の挿通孔３７から突出する線材の束２７を、第１の筐体２に対する第２の筐体３の回転方向（Ａ方向）側に位置する一の案内溝５５に入れておくと共に、他の挿通孔３９から突出する線材の束２９を、基準軸線Ｌ１を挟んで一の案内溝５５の反対側に位置する他の案内溝５７に入れておくことが好ましい。
これは、２つの筐体２，３を相互に回動させた際に、ガイド補助部材５３がガイド部材３１に対して回転しても、ガイド部材３１とガイド補助部材５３との間において２つの線材の束２７，２９が捩れることを最小限に抑えるためである。
【００２４】
すなわち、２つの筐体２，３を相互に閉じた状態から、第２の筐体３を第１の筐体２に対してＡ方向に１８０°回動させて、図７に示すように、２つの筐体２，３を相互に開いた状態においては、ガイド部材３１の挿通孔３７，３９とガイド補助部材５３の案内溝５５，５７との間に配される線材の束２７，２９の捩れの度合が、２つの筐体２，３を相互に閉じた状態における線材の束２７，２９の捻れと同様となる。
これは、２つの筐体２，３を相互に開いた状態から、図８に示すように、第２の筐体３を第１の筐体２に対してＢ方向に９０°回動させた状態において、ガイド部材３１の２つの挿通孔３７，３９がガイド補助部材５３の２つの案内溝５５，５７の配列方向と同じ方向に並んで、前述した線材の束２７，２９の捻れが最小限となるためである。
【００２５】
上記のように、この携帯電話機１によれば、連結部５の貫通孔２１内に上記ガイド部材３１を設けることにより、線材の束２７，２９を容易に貫通孔２１内に挿通させることができるため、携帯電話機１の組み立て作業性を向上させることができる。
特に、２つに分割されたガイド部材３１の間に線材の束２７，２９を配した後に、これら２つのガイド部材３１を結合することにより、複数の線材の束２７，２９がガイド部材３１の挿通孔３７，３９に挿通されることになるため、ガイド部材３１に複数の線材の束２７，２９を容易に取り付けることができる。
【００２６】
また、連結部５の貫通孔２１内に複数の線材の束２７，２９を挿通させる際には、予めガイド部材３１の挿通孔３７，３９に複数の線材の束２７，２９を挿通させておき、その後に、筒状部３３を貫通孔２１内に挿通させればよいため、挿通させるべき線材の束２７，２９が多くても、複数の線材の束２７，２９を容易に貫通孔２１内に挿通させることができる。
さらに、ガイド部材３１のフランジ部３５やガイド補助部材５３の案内溝５５，５７に線材の束２７，２９を配した状態においては、各筐体２，３の内部に配された各回路基板１３，１９と線材の束２７，２９との位置関係を固定できるため、線材の束２７，２９と回路基板１３，１９との電気接続を容易に行うことができる。
【００２７】
また、このガイド部材３１を第１の筐体２に対して固定することにより、第１の筐体２に対するガイド部材３１の位置決めを容易に行うこともできる。
さらに、ガイド部材３１のフランジ部３５やガイド補助部材５３に案内溝５５，５７を形成しておくことにより、２つの筐体２，３の開閉動作にかかわらず、各筐体２，３に対する線材の束２７，２９の位置決めを行うことができると共に、各筐体２，３の内部において線材の束２７，２９が各筐体２，３に対して動くことを抑制できるため、各筐体２，３の内部において線材の束２７，２９の捩れが発生することを抑制して、この捩れに基づく線材の束２７，２９の損傷も防止できる。
【００２８】
また、２つの筐体２，３を相互に開いた状態若しくは閉じた状態から、基準軸線Ｌ１を中心として２つの筐体２，３を相互に９０°回動させた状態において、２つの線材の束２７，２９の相互の捩れが最も小さくなるように構成されているため、２つの筐体２，３を相互に開いた状態若しくは閉じた状態において、線材の束２７，２９にかかる応力を最小限に抑えることができ、この応力に基づく線材の束２７，２９の損傷も防止できる。
【００２９】
さらに、挿通孔３７，３９の開口端には、挿通孔３７，３９の内周面と筒状部３３の端面３３ａとを滑らかにつなぐ拡径内周面５１を形成しているため、各挿通孔３７，３９の開口端から突出する線材３７，３９を筒状部３３の端面３３ａに沿って配しても、挿通孔３７，３９の内周面と筒状部３３の端面３３ａとの境界部分において線材の束２７，２９が擦れることを防止でき、この擦れに基づく線材の束２７，２９の損傷も防止できる。
また、アンテナ用線材と他の線材の束２９とを別個の挿通孔３７，３９に挿通させることにより、これらアンテナ用線材及び他の線材の束２９のいずれか一方から出るノイズが、アンテナ用線材及び他の線材の束２９のいずれか他方に悪影響を与えることを抑制できる。
【００３０】
なお、上記の実施形態において、ガイド部材３１は分割可能に形成されるとしたが、これに限ることはなく、１つの部材から形成されるとしても構わない。この構成においても、予めガイド部材３１に複数の線材の束２７，２９を取り付けておくことにより、複数の線材の束２７，２９を一括して連結部５の貫通孔２１に挿通させることができるため、携帯電話機１の組み立て作業性を向上させることができる。
また、筒状部３３には挿通孔３７，３９が２つ形成されるとしたが、これに限ることはなく、挿通孔は１つだけ形成されるとしてもよいし、３つ以上形成されるとしても構わない。
【００３１】
さらに、筒状部３３の外周面は貫通孔２１の内周面に接触するように形成されているとしたが、これに限ることはなく、筒状部３３の外周面と貫通孔２１の内周面との間に隙間ができるように、筒状部３３の外径寸法を貫通孔２１の内径寸法よりも小さく形成しても構わない。
また、ガイド部材３１は、挿通孔３７，３９を形成した筒状部３３を有するとしたが、これに限ることはなく、少なくとも複数の線材の束２７，２９を連結部５の貫通孔２１内に案内して挿通させることができる構成であればよい。
さらに、ガイド部材３１は、ポリアセタール系樹脂等の樹脂材料から形成されるとしたが、これに限ることはなく、少なくとも摩擦抵抗が少ない樹脂材料から形成されていればよく、例えば、ＰＯＭ／フッ素系樹脂材料から形成されるとしてもよい。
【００３２】
また、ガイド補助部材５３は、線材の束２７，２９を挿通させる孔２４ａを備えるとしたが、これに限ることはなく、少なくともガイド部材３１から第２の筐体３の内部に突出した線材の束２７，２９を第２の回路基板１９に向けて案内する案内溝５５，５７を備えていればよい。
さらに、複数の線材の束２７，２９は、各筐体２，３の内部に設けられた２つの回路基板１３，１９を相互に電気的に接続するとしたが、これに限ることはなく、これら回路基板１３，１９を介さずに各筐体２，３の内部に設けられた操作部７、マイクロフォン部９、表示部１５、スピーカー部１７等の電気部品や、各種機能を制御するための各種電子部品に電気的に直接接続するとしても構わない。
【００３３】
また、２つの筐体２，３をその厚さ方向に延びる基準軸線Ｌ１を中心として相互に回動可能に連結した携帯電話機１について説明したが、これに限ることはなく、例えば、２つの筐体２，３をその厚さ方向に直交する基準軸線を中心として相互に回動可能に連結した携帯電話機、所謂折り畳み型の携帯電話機であっても構わない。
さらに、携帯電話機に限ることはなく、少なくとも２つの筐体を連結部により互いに回動可能、かつ開閉自在に連結した携帯電子機器であればよく、例えば、ＰＤＡやデジタルカメラ、デジタルビデオカメラ、ノート型パーソナルコンピュータであってもよい。
【００３４】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３５】
【図１】この発明の一実施形態に係る携帯電話機の第１、第２の筐体を相互に開いた状態を示しており、（ａ）は、概略平面図であり、（ｂ）は、概略断面図である。
【図２】図１の携帯電話機において、第１、第２の筐体を相互に閉じた状態を示しており、（ａ）は、概略平面図であり、（ｂ）は、概略断面図である。
【図３】図１の携帯電話機において、筐体の基端部に配される連結部、ガイド部材及びガイド補助部材を示す分解斜視図である。
【図４】図１の携帯電話機において、ガイド部材を２つに分解した状態を示す拡大斜視図である。
【図５】図１の携帯電話機において、２つの筐体を相互に閉じた状態で、第１の筐体に配されたガイド部材を第２の筐体側から見た拡大斜視図である。
【図６】図１の携帯電話機において、２つの筐体を相互に閉じた状態で、第１の筐体に配されたガイド部材を第１の筐体側から見た拡大斜視図である。
【図７】図１の携帯電話機において、２つの筐体を相互に開いた状態で、ガイド部材及びガイド補助部材を第２の筐体側から見た拡大斜視図である。
【図８】図１の携帯電話機において、２つの筐体を相互に開いた状態若しくは閉じた状態から２つの筐体を相互に９０°回動させた状態で、ガイド部材及びガイド補助部材を第２の筐体側から見た拡大斜視図である。
【符号の説明】
【００３６】
１  携帯電話機（携帯電子機器）
２  第１の筐体
３  第２の筐体
５  連結部
１０  アンテナ
１３  第１の回路基板
１９  第２の回路基板
２１  貫通孔
２７，２９  線材の束
３１  ガイド部材
３３  筒状部
３５  フランジ部
３７，３９  挿通孔
４１，４３，５５，５７  案内溝
５３  ガイド補助部材
Ｌ１  基準軸線
【図１】
2006148554.tif 000003
【図２】
2006148554.tif 000004
【図３】
2006148554.tif 000005
【図４】
2006148554.tif 000006
【図５】
2006148554.tif 000007
【図６】
2006148554.tif 000008
【図７】
2006148554.tif 000009
【図８】
2006148554.tif 000010